(57)【要約】本発明は、インターネットキーワード広告方法に係り、より詳細には、利用者がキーワード検索を要求すれば、該当キーワードと関連性のある2次キーワードを提供して、前記利用者がインターネットを通じるキーワード検索を通じて実際に要求する情報及び/または商品に近接して該当データを提供する広告方法とその広告システムに関する。また、本発明は、1次キーワード検索に対して関連性のある2次キーワードのリストを提供する方法及び装置に関する。本発明によれば、利用者は、比較的に包括的な意味を有した1次キーワード検索に引き続き、さらに具体的な2次キーワード検索を通じて自身が追求する情報及び/または物品を容易に捜して確認できる一方、広告主は、該当2次キーワードを通じて連結された有效顧客に自己の情報及び/または物品を公開できて広告效率が大きく向上する効果がある。
2008507027.tif 000002
【特許請求の範囲】
【請求項１】
媒体サーバーシステムが駆動するウェブブラウザーの検索窓に入力される1次キーワードと、広告主が任意単語を指定・選択して前記1次キーワードの検索結果として出力される2次キーワードが保存されるキーワードデータベースと、
URLを含む前記広告情報が前記1・2次キーワードと連携されて保存される広告主データベースと、
1次キーワードに対する前記媒体サーバーシステムのクエリーによってマッピングされた2次キーワードを前記キーワードデータベースから抽出した後、この2次キーワードを前記広告主データベースに保存された該当広告情報と連携させてリストを生成させるキーワードリスト生成モジュールと、前記リストを前記媒体サーバーシステムのウェブブラウザーを介してインターネット利用者に出力させ、前記リストについての選択情報を受信する媒体通信モジュールが備えられたADサーバーと、
前記リストからインターネット利用者によって選択された2次キーワードと連携された広告情報の執行事項を確認して執行情報データを生成させる広告執行情報モジュールが備えられたLOGサーバーと、
前記執行情報データが保存される広告執行情報データベースと、
オンラインを通じる広告主の要請によって前記広告執行情報データベースから要請された執行情報データを抽出して出力させる広告執行内訳閲覧モジュールが備えられたFOサーバーと、を含むことを特徴とする広告システム。
【請求項２】
前記LOGサーバーは、2次キーワードを選択したインターネット利用者のIP、クッキー、セッション、時間のうち一つ以上の事項を確認して利用者情報データを生成させる利用者情報モジュールと、前記利用者情報データを分析して一定間隔に同一の情報が累積されるか否かを確認し、その累積量が基準値を超過する場合、メール及び/またはSMSを通じて該当キーワードの広告主と交通するアラームモジュールをさらに含み、
前記利用者情報データが保存され、前記FOサーバーと連動されて広告主の利用者情報データの閲覧が可能な利用者情報データベースがさらに含まれることを特徴とする請求項１に記載の広告システム。
【請求項３】
前記FOサーバーは、前記キーワードデータベース及び広告主データベースと連動されて、オンラインを通じる広告主の要請によって広告情報と連携されたキーワードを追加、削除、変更させるキーワード修正モジュールをさらに含むことを特徴とする請求項１に記載の広告システム。
【請求項４】
広告主が広告費として預置した預置金と広告執行によって消尽された金額及び預置金残額とに対する費用データが保存されるが、この費用データが預置金残額と広告執行によって消尽される金額とを算術して、前記リスト生成に反映される媒介変数として活用されるように前記キーワードリスト生成モジュールと連動され、広告主が前記費用データの閲覧が可能に前記FOサーバーと連動された決済データベースがさらに含まれ、
前記FOサーバーには、広告執行による預置金消尽と入金による預置金追加によって費用データを更新する会計モジュールがさらに含まれることを特徴とする請求項１に記載の広告システム。
【請求項５】
前記媒体サーバーシステムのクエリーについての情報データが保存される媒体クエリー情報データベースと、
前記媒体クエリー情報データベースの情報データを抽出・分析して、前記キーワードデータベースに保存された1、2次キーワードを追加、削除、変更し、1次キーワードと2次キーワードとに対するマッピングを修正するキーワード補完モジュールと、をさらに含むことを特徴とする請求項１に記載の広告システム。
【請求項６】
前記媒体サーバーシステムに出力される前記リストに添付されてインターネット利用者の選択によってメモ様式を利用者端末機に出力し、作成されたメモは広告主にオンライン発送するメモ実行モジュールと、
作成されたメモ内容がデータに保存されるメモデータベースからなるメモシステムと、をさらに含むことを特徴とする請求項１ないし５のうち何れか1項に記載の広告システム。
【請求項７】
利用者端末機と、媒体サーバーシステムと、広告主システム及び、一つ以上のデータベースとサーバーとで構成された広告システムがインターネットを介して成す広告方法において、
前記利用者端末機から前記媒体サーバーシステムに1次キーワードが伝送/入力される1次キーワード入力段階と、
前記媒体サーバーシステムから前記1次キーワードに対するクエリーが前記広告システムに伝送されるクエリー伝送段階と、
前記広告システムで、受信された前記クエリーによって前記1次キーワードとの連関性でマッピングされた2次キーワードが、データベース上に存在するかを検索する2次キーワード検索段階と、
前記広告システムで、検索された一つ以上の前記2次キーワードが、広告情報及び/または前記広告主システムと連携されているかを確認する広告情報確認段階と、
前記広告システムで、前記広告情報確認段階を通じて該当2次キーワードに広告情報及び/または前記広告主システムと連携されていると確認される場合、一つ以上の前記2次キーワードを前記媒体サーバーシステムを介して前記利用者端末機に伝送する2次キーワード伝送段階と、
前記利用者端末機が前記2次キーワードのうち一つにクリックまたはマウスオンすれば、該当2次キーワードと連携された前記広告情報及び/または前記広告主システムと接続される広告情報出力段階と、
前記利用者端末機が前記2次キーワードを通じる広告情報及び/または前記広告主システムと接続された広告執行事項についての執行情報データが前記広告システムのデータベースに伝送/保存される広告執行情報保存段階と、を含むことを特徴とする広告方法。
【請求項８】
前記広告システムで、広告が執行された前記利用者端末機の利用者情報が抽出されてデータベースに保存される利用者情報抽出段階と、
前記広告システムで、前記データベースに保存される利用者情報のうち一定間隔に同一の情報が累積値以上超過して累積されるか否かを確認する利用者情報確認段階と、
前記利用者情報確認段階で累積値以上の同一の利用者情報が確認される場合、前記広告システムから前記広告主システムにアラーム情報を伝送するアラーム段階と、をさらに含むことを特徴とする請求項７に記載の広告方法。
【請求項９】
前記広告システムで、前記広告情報確認段階を通じて該当2次キーワードに広告情報及び/または前記広告主システムと連携されていると確認される場合、データベースに保存された預置金残額と広告執行によって消尽される金額とを算術して広告執行が可能かどうかを確認する預置金確認段階と、
前記広告システムで、広告執行がなされば、前記データベースに保存された預置金残額を広告執行費用ほど消尽させて更新する預置金情報更新段階と、をさらに含むことを特徴とする請求項７または８に記載の広告方法。
【請求項１０】
前記2次キーワード伝送段階が伝送しようとする2次キーワードを含む文章の形態で伝送することを特徴とする請求項７に記載の広告方法。
【請求項１１】
前記1次キーワードに対する検索要請信号を入力される段階と、
前記1次キーワードに対する検索要請信号が入力される場合、前記1次キーワードに対する検索結果とカテゴリー情報とを提供する段階と、
前記カテゴリー情報によるカテゴリー選択信号を入力される段階と、
前記入力されたカテゴリー選択信号によって該当カテゴリーの2次キーワードを提供する段階と、を含むことを特徴とする2次キーワードリストの提供方法。
【請求項１２】
前記1次キーワードに対する検索要請信号が入力される場合、前記1次キーワードに対する優先2次キーワードを提供する段階をさらに含むことを特徴とする請求項１１に記載の2次キーワードリストの提供方法。
【請求項１３】
前記2次キーワードは、前記1次キーワードを以前に検索したユーザーが共に検索したキーワードから抽出されることを特徴とする請求項１１または１２に記載の2次キーワードリストの提供方法。
【請求項１４】
前記提供される2次キーワードは、前記1次キーワード検索以後からその以前に露出されていないことを特徴とする請求項１１または１２に記載の2次キーワードリストの提供方法。
【請求項１５】
前記2次キーワードは、前記1次キーワードとの類似度によって配列されることを特徴とする請求項１１に記載の2次キーワードリストの提供方法。
【請求項１６】
前記2次キーワードは、検索頻度数によって配列されることを特徴とする請求項１１に記載の2次キーワードリストの提供方法。
【請求項１７】
前記2次キーワードは、広告掲載数によって配列されることを特徴とする請求項１１に記載の2次キーワードリストの提供方法。
【請求項１８】
前記優先2次キーワードは、前記1次キーワードに対する2次キーワードのうちから優先配列されるキーワードであることを特徴とする請求項１５ないし１７のうち何れか1項に記載の2次キーワードリストの提供方法。
【請求項１９】
前記提供された2次キーワードのうちから一つの2次キーワードを選択する信号を入力される段階と、
前記2次キーワードに対する検索結果を提供する段階と、をさらに含むことを特徴とする請求項１１または１２に記載の2次キーワードリストの提供方法。
【請求項２０】
キーワードヒストリー要請信号を入力される段階と、
前記1次キーワード検索以後、検索されたキーワードが検索された順序によって表示させる段階と、をさらに含むことを特徴とする請求項１９に記載の2次キーワードリストの提供方法。
【請求項２１】
前記2次キーワードは、所定個数のみが一回に提供され、ユーザーからの追加要請によって他の2次キーワードを提供することを特徴とする請求項１１または１２に記載の2次キーワードリストの提供方法。
【請求項２２】
前記追加要請は、方向表示のインターフェースを介して受信されることを特徴とする請求項２１に記載の2次キーワードリストの提供方法。
【請求項２３】
前記カテゴリー情報は、方向表示のインターフェースを介して受信される要請信号によって提供されることを特徴とする請求項１１または１２に記載の2次キーワードリストの提供方法。
【請求項２４】
前記1次キーワードに対する2次キーワードが所定カテゴリー別に分類されたキーワードデータベースを生成させる段階をさらに含み、
前記2次キーワードは、前記キーワードデータベースから判読して提供されることを特徴とする請求項１１または１２に記載の2次キーワードリストの提供方法。
【請求項２５】
キーワードが所定カテゴリー別に分類されたキーワードデータベースを生成させる段階と、
キーワードを入力される段階と、
前記入力されたキーワードについてのカテゴリー情報を提供する段階と、
前記提供されたカテゴリー情報によってカテゴリー選択がなされば、該当カテゴリーのキーワードを前記キーワードデータベースから判読して提供する段階と、を含むことを特徴とする2次キーワードリストの提供方法。
【請求項２６】
キーワードが所定カテゴリー別に分類されたキーワードデータベースを生成させる段階と、
前記ウェブサイトへの接続要請に対して検索カテゴリー情報を提供する段階と、
前記提供されたカテゴリー情報によってカテゴリー選択信号が入力される場合、前記入力されたカテゴリー選択信号によって該当カテゴリーのキーワードを提供する段階と、をさらに含むことを特徴とする2次キーワードリストの提供方法。
【請求項２７】
1次キーワードに対する2次キーワードが所定カテゴリー別に分類されたキーワードデータベースと、
前記1次キーワードに対する検索要請信号が入力される場合、前記1次キーワードに対する検索結果とカテゴリー情報と優先2次キーワードを提供する手段と、
前記提供されたカテゴリー情報によってカテゴリー選択信号が入力される場合、前記入力されたカテゴリー選択信号によって該当カテゴリーの2次キーワードを前記キーワードデータベースから判読して提供する手段と、を含むことを特徴とする2次キーワードリストを提供するためのウェブサーバー。
【発明の詳細な説明】
【技術分野】
【０００１】
本発明は、インターネットキーワード広告方法に係り、より詳細には、利用者がキーワード検索を要求すれば、該当キーワードと関連性のある2次キーワードを提供して、前記利用者がインターネットを通じるキーワード検索を通じて実際に要求する情報及び/または商品に近接して該当データを提供する広告方法とその広告システムに関する。
また、本発明は、ウェブサイトで検索を実行する時、関連キーワードのリストを提供することに係り、特に、1次キーワード検索に対して関連性のある追加キーワード、すなわち、2次キーワードのリストを提供する方法及び装置に関する。
【背景技術】
【０００２】
現在のインターネットは、コンピュータとコンピュータとが連結されたネットワークという意味よりは、企業と個人、個人と個人との間の相互コミュニケーションをリアルタイムで可能にするニューメディアとしての役割を果しており、その結果によってインターネット上での各種広告に対する関心が増加している。
一般的に、従来のインターネットキーワード広告は、媒体を用いる利用者が特定キーワード及び組合わせで形成されたキーワードを検索窓に入力させることで所望の情報を検索することに着眼して媒体別またはキーワードネットワークセンターを用いて一定期間の間の広告中継を契約し、自社のサイトを上位または一定順位内に露出させて広告をする方法であった。
しかし、この方法は、利用者がキーワードで検索した結果画面から所望の結果を捜すことができなかった時は、検索窓に新しいキーワードを思って再入力する過程を通さなければならないので、利用者において反復性による作業の煩わしさが問題になった。
また、利用者が最初の検索試図以後、再検索のために他のキーワードを入力しても当該利用者が追求する情報及び/または物品の同一性によるキーワードの類似性によって検索結果も大差を見せず、前記利用者は、最初試図された検索結果と類似した検索結果を反復検討する不合理さがあった。
それ以外にも、利用者が任意の情報及び/または物品を検索するために媒体の検索窓に入力するキーワードは、利用者のパターンによって極めて制限されるように使われていて広告主が経済的に活用できる広告用キーワードの種類が制限される問題があった。
また、従来の広告方法は、利用者自身が所望する情報及び/または物品に対する関連キーワードをすべて分かっていなければならないので、検索結果に対する範囲が利用者の経験範囲内に制限されて、效率的な広告效果を期待しにくかった。
インターネットを利用したウェブサイト検索でキーワード検索が一般化されている。これにより、検索サービスと広告とを連携させるモデルがインターネットポータルサイトの重要な収入源になっている。しかし、既存のキーワード検索は、人気キーワードのみの検索を深化させる。すなわち、人気キーワード為主の検索がなされることによってサイト登録、広告登録、ディレクトリー登録も人気キーワードにのみ集中され、これは非人気キーワードに対する検索結果の不足をもたらして人気キーワード為主の検索をさらに深化させる。これにより、広告売上げも一部の人気検索語に集中されて、膨大な非人気キーワードに対する広告売上げ不振を引き起こす。
【発明の開示】
【発明が解決しようとする課題】
【０００３】
本発明は、利用者自身が追求する情報及び/または物品に対する内容を容易に検索することができ、利用者の便宜はもちろん、キーワード検索を広告手段として活用する広告主も広告效果を高めうる1次インターネット検索キーワードと係わる2次キーワードによるターゲティング広告方法とその広告システムを提供することに目的がある。
また、本発明は、ウェブサイト検索で検索者の検索目標に最も近接した追加キーワードを検索者に提供することによって、検索者をしてより早くて容易に自身の検索目標に到逹させることを目的とする。
【課題を解決するための手段】
【０００４】
前記の目的を果たすための本発明による広告システムは、媒体サーバーシステムが駆動するウェブブラウザーの検索窓に入力される1次キーワードと、広告主が任意単語を指定・選択して前記1次キーワードの検索結果として出力される2次キーワードが保存されるキーワードデータベースと、URLを含む前記広告情報が前記1・2次キーワードと連携されて保存される広告主データベースと、1次キーワードに対する前記媒体サーバーシステムのクエリーによってマッピングされた2次キーワードを前記キーワードデータベースから抽出した後、この2次キーワードを前記広告主データベースに保存された該当広告情報と連携させてリストを生成させるキーワードリスト生成モジュールと、前記リストを前記媒体サーバーシステムのウェブブラウザーを介してインターネット利用者に出力させ、前記リストについての選択情報を受信する媒体通信モジュールが備えられたADサーバーと、前記リストからインターネット利用者によって選択された2次キーワードと連携された広告情報の執行事項を確認して執行情報データを生成させる広告執行情報モジュールが備えられたLOGサーバーと、前記執行情報データが保存される広告執行情報データベースと、オンラインを通じる広告主の要請によって前記広告執行情報データベースから要請された執行情報データを抽出して出力させる広告執行内訳閲覧モジュールが備えられたFOサーバーと、を含む。
前述したような本発明による広告システムにおいて、前記LOGサーバーは、2次キーワードを選択したインターネット利用者のIP、クッキー、セッション、時間のうち一つ以上の事項を確認して利用者情報データを生成させる利用者情報モジュールと、前記利用者情報データを分析して一定間隔に同一の情報が累積されるか否かを確認し、その累積量が基準値を超過する場合、メール及び/またはSMSを通じて該当キーワードの広告主と交通するアラームモジュールとをさらに含みうる。
前述したような本発明による広告システムは、前記利用者情報データが保存され、前記FOサーバーと連動されて広告主の利用者情報データの閲覧が可能な利用者情報データベースがさらに含みうる。
前述したような本発明による広告システムにおいて、前記FOサーバーは、前記キーワードデータベース及び広告主データベースと連動されて、オンラインを通じる広告主の要請によって広告情報と連携されたキーワードを追加、削除、変更させるキーワード修正モジュールがさらに含みうる。
前述したような本発明による広告システムは、広告主が広告費として預置した預置金と広告執行によって消尽された金額及び預置金残額とに対する費用データが保存されるが、この費用データが預置金残額と広告執行によって消尽される金額とを算術して、前記リスト生成に反映される媒介変数として活用されるように前記キーワードリスト生成モジュールと連動され、広告主が前記費用データの閲覧が可能に前記FOサーバーと連動された決済データベースがさらに含まれ、前記FOサーバーには、広告執行による預置金消尽と入金による預置金追加によって費用データを更新する会計モジュールがさらに含まれうる。
前述したような本発明による広告システムは、前記媒体サーバーシステムのクエリーについての情報データが保存される媒体クエリー情報データベースと前記媒体クエリー情報データベースの情報データとを抽出・分析して、前記キーワードデータベースに保存された1、2次キーワードを追加、削除、変更し、1次キーワードと2次キーワードとに対するマッピングを修正するキーワード補完モジュールがさらに含まれうる。 
前述したような本発明による広告システムは、前記媒体サーバーシステムに出力される前記リストに添付されてインターネット利用者の選択によってメモ様式を利用者端末機に出力し、作成されたメモは広告主にオンライン発送するメモ実行モジュールと作成されたメモ内容がデータに保存されるメモデータベースとを備えるメモシステムをさらに含みうる。
前記他の目的を果たすための本発明による広告方法は、前記利用者端末機から前記媒体サーバーシステムに1次キーワードが伝送/入力される1次キーワード入力段階と、前記媒体サーバーシステムから前記1次キーワードに対するクエリーが前記広告システムに伝送されるクエリー伝送段階と、前記広告システムで、受信された前記クエリーによって前記1次キーワードとの連関性でマッピングされた2次キーワードがデータベース上に存在するかを検索する2次キーワード検索段階と、前記広告システムで、検索された一つ以上の前記2次キーワードが広告情報及び/または前記広告主システムと連携されているかを確認する広告情報確認段階と、前記広告システムで、前記広告情報確認段階を通じて該当2次キーワードに広告情報及び/または前記広告主システムと連携されていると確認される場合、一つ以上の前記2次キーワードを前記媒体サーバーシステムを介して前記利用者端末機に伝送する2次キーワード伝送段階と、前記利用者端末機が前記2次キーワードのうち一つにクリックまたはマウスオンすれば、該当2次キーワードと連携された前記広告情報及び/または前記広告主システムと接続される広告情報出力段階と、前記利用者端末機が前記2次キーワードを通じる広告情報及び/または前記広告主システムと接続された広告執行事項についての執行情報データが前記広告システムのデータベースに伝送/保存される広告執行情報保存段階と、を含む。
前述したような本発明による広告方法は、前記広告システムで広告が執行された前記利用者端末機の利用者情報が抽出されてデータベースに保存される利用者情報抽出段階と、前記広告システムで前記データベースに保存される利用者情報のうち一定間隔に同一の情報が累積値以上超過して累積されるか否かを確認する利用者情報確認段階と前記利用者情報確認段階で累積値以上の同一の利用者情報が確認される場合、前記広告システムから前記広告主システムにアラーム情報を伝送するアラーム段階と、をさらに含みうる。
前述したような本発明による広告方法は、前記広告システムで前記広告情報確認段階を通じて該当2次キーワードに広告情報及び/または前記広告主システムと連携されていると確認される場合、データベースに保存された預置金残額と広告執行によって消尽される金額とを算術して広告執行が可能かどうかを確認する預置金確認段階と前記広告システムで広告執行がなされば、前記データベースに保存された預置金残額を広告執行費用ほど消尽させて更新する預置金情報更新段階をさらに含みうる。
前述したような本発明による広告方法において、前記2次キーワード伝送段階で伝送される形態が伝送する2次キーワードを含む文章の形態で伝送されうる。
前記また他の目的を果たすための本発明の2次キーワードリスト提供方法は、1次キーワードに対する検索要請信号を入力される段階と、1次キーワードに対する検索要請信号が入力される場合、1次キーワードに対する検索結果とカテゴリー情報とを提供する段階と、カテゴリー情報によるカテゴリー選択信号を入力される段階と、入力されたカテゴリー選択信号によって該当カテゴリーの2次キーワードを提供する段階と、を含む。
前述したような本発明による2次キーワードリスト提供方法は、1次キーワードに対する検索要請信号が入力される場合、前記1次キーワードに対する優先2次キーワードを提供する段階をさらに含みうる。
本発明の2次キーワードは、1次キーワードを以前に検索したユーザーが共に検索したキーワードから抽出されることができ、本発明によって提供される2次キーワードは、1次キーワード検索以後の検索過程で以前に露出されていないものと制限されうる。
また、本発明の2次キーワードは、1次キーワードとの類似度、検索頻度数、広告掲載数などの順序によって配列されうる。
前述したような本発明による2次キーワードリスト提供方法は、2次提供された2次キーワードのうちから一つの2次キーワードを選択する信号を入力される段階と前記2次キーワードに対する検索結果を提供する段階とをさらに含みうる。
前述したような本発明による2次キーワードリスト提供方法は、キーワードヒストリー要請信号を入力される段階と前記1次キーワード検索以後の検索過程で検索されたキーワードが検索された順序によって表示させる段階とをさらに含みうる。
前述したような本発明による2次キーワードリスト提供方法は、1次キーワードに対する2次キーワードが所定カテゴリー別に分類されたキーワードデータベースを生成させる段階をさらに含み、2次キーワードはカテゴリーによってキーワードデータベースから判読されて提供されうる。
前述したような本発明による2次キーワードリスト提供方法は、2次キーワードは所定個数のみが一回に提供され、ユーザーからの追加要請によって他の2次キーワードが提供されるが、追加要請は検索者の端末機に表示されたサーチジョグ形態のインターフェースを介して受信される。カテゴリー情報も、サーチジョグ形態のインターフェースを介して受信されうる。
前記さらに他の目的を果たすための本発明の2次キーワードリスト提供方法は、キーワードが所定カテゴリー別に分類されたキーワードデータベースを生成させる段階と、キーワードを入力される段階と、前記入力されたキーワードについてのカテゴリー情報を提供する段階と、前記提供されたカテゴリー情報によってカテゴリー選択がなされば、該当カテゴリーのキーワードを前記キーワードデータベースから判読して提供する段階と、を含む。
前記さらに他の目的を果たすための本発明の2次キーワードリスト提供方法は、キーワードが所定カテゴリー別に分類されたキーワードデータベースを生成させる段階と、前記ウェブサイトへの接続要請に対して検索カテゴリー情報を提供する段階と、前記提供されたカテゴリー情報によってカテゴリー選択信号が入力される場合、前記入力されたカテゴリー選択信号によって該当カテゴリーのキーワードを提供する段階と、を含む。
前記さらに他の目的を果たすための本発明の2次キーワードリストを提供するためのウェブサーバーは、1次キーワードに対する2次キーワードが所定カテゴリー別に分類されたキーワードデータベースと、前記1次キーワードに対する検索要請信号が入力される場合、前記1次キーワードに対する検索結果とカテゴリー情報と優先2次キーワードを提供する手段と、前記提供されたカテゴリー情報によってカテゴリー選択信号が入力される場合、前記入力されたカテゴリー選択信号によって該当カテゴリーの2次キーワードを前記キーワードデータベースから判読して提供する手段と、を含む。
【発明を実施するための最良の形態】
【０００５】
以下、本発明を添付された例示図面に基づいて詳しく説明する。
図１は、本発明による広告システムとインターネットで繋がれた利用者端末機、媒体サーバーシステム及び広告主システムの形状を概略的に図示した構成図であり、図２は、本発明による広告システムを通じてなされる広告第1案が媒体サーバーシステムのウェブブラウザーを介して実行される形状を図示した図面であり、これを参照して説明する。
図１に図示されたように、本発明による広告システム１００は、インターネットを介して利用者端末機１０、媒体サーバーシステム２０及び、広告主システム３０と通信を行い、広告生産者である広告主システム３０と広告消費者である利用者端末機１０とを中継する。
前記利用者端末機１０は、インターネット利用者がインターネットに接続するために活用される通信手段である。
前記媒体サーバーシステム２０は、インターネット上に多様に存在する多くの検索サービスを提供するサイトを駆動するものであって、前記利用者端末機１０と交通しながらウェブブラウザーを介して該当情報を相互発・受信する。
前記広告主システム３０は、企業のホームページサイトまたはインターネットショッピングモールサイトなどを駆動するものであって、インターネットを介して前記利用者端末機１０と交通しながらウェブブラウザーを介して該当情報を相互発・受信する。
前述された体系を通じてインターネット利用者は、前記媒体サーバーシステム２０が駆動するサイトに接続して、図２に図示されたように必要な情報習得を目的に検索窓に任意検索語を入力し、前記媒体サーバーシステム２０は、入力された検索語の結果物を検索して出力する。このとき、検索過程で前記媒体サーバーシステム２０は、前記広告システム１００にも該当検索語に対するクエリーを伝送し、これを受信した広告システム１００は前記検索語と係わった他のキーワードを一つ以上抽出して広告情報と共に媒体サーバーシステム２０に伝送する。もちろん、前記キーワード及び広告情報を受信した媒体サーバーシステム２０は、既存の広告商品、検索結果と共に2次キーワードリストを利用者端末機１０に出力する。
前記検索語は1次キーワードを意味するものであり、前記2次キーワードは検索語として入力される1次キーワードと係わって追加キーワードを意味するものであり、2次キーワードに選定方法について具体的に説明すれば、次のようである。
まず、2次キーワード選定方法としてパターンキーワード方式を挙げることができるが、パターンキーワードとは、一般検索媒体ユーザーが検索媒体を通じて情報を獲得するためにキーワード検索を進行させるにおいて、特定情報を捜すために検索を要請するキーワード検索の類型を言い、検索媒体で特定情報を捜すためにユーザーは、一般的なキーワードから始めて徐々に具体的なキーワードで検索を要請する方法を使っている。
このような行為をする理由は、現在検索媒体の検索エンジンは情報を収集するにおいて、インターネットを介して提供されるウェブ文書上のテキスト情報を検索エンジンが保有している辞書データベースと比べて、意味のある単語(キーワード)を分析し、ユーザーが検索媒体を通じてキーワードについての情報検索を要請する時、これを基盤として提供する検索結果画面を生成させて提供するためである。
検索エンジンがあらかじめ定義された辞書データベースを基盤としてウェブ文書に対するキーワードリストを抽出して、検索結果を生成させるためにいくら正確な検索結果と豊かなキーワードを抽出するかは、検索媒体それぞれの技術により異なって表われる。結局ユーザーは、自身が捜そうとする情報を習得するために多様な形態の検索を要請する。すなわち、多くの検索結果を習得できる普遍的なキーワードを1次的に検索要請し、その結果リストのうちから自身が習得しようとする情報と最も近接したウェブページを訪問して追加的な情報を習得するか、検索結果の中からより細部的なキーワードを再検索することを要請して提供される情報の範囲を減って行く方法として自身が習得しようとする情報を捜すことになる。
インターネット検索媒体を通じて検索を要請するユーザーは、自身が捜そうとする情報を習得するために検索媒体の検索エンジンに多様なキーワードについての情報検索を要請し、検索媒体はより正確な情報提供のためにユーザーが要請するキーワードのリストと検索ヒストリーとをデータベースに保存して分析し、これを検索エンジンの辞書データベースに蓄積する過程で蓄積されたキーワードのリスト、すなわち、ユーザーが検索を要請したキーワードのリスト中に類似した流れをパターンキーワードと言える。
前述したように構築されたパターンキーワードを用いてパターンキーワードのリストのうち何れか一つが検索語として使われた場合、残りを2次キーワードにして提供する方式を本発明では利用できる。
本発明で、2次キーワードの選定のための他の方法としては、推薦キーワード方式を挙げることができるが、推薦キーワードとは、検索媒体で正確な情報提供のためにユーザーのキーワード検索類型を分析して、生成されたパターンキーワードのうち最も多く検索を要請した類型のパターンキーワードリストを推薦キーワードと言う。
前記推薦キーワードは、ユーザーの情報検索目的の多様性によって新しいユーザーが情報検索をするために代表性のあるキーワードあるいは細部的なキーワードを検索エンジンに情報検索結果を要請する時、検索エンジンによってあらかじめ収集されたパターンキーワードの多様な類型のうち以前ユーザーが普遍的に活用した検索キーワードのリストを提供して、より早い検索結果を提供するために提供されるものであって、本発明の2次キーワード選定方法に有用に適用されうる。
本発明によるまた他の2次キーワード選定方式は、最終構築されたパターンキーワードリストのうちキーワード検索広告としての商品的価値を有しているキーワードまたは1次キーワードを有しているウェブ文書から抽出されるまた他のキーワードとこれらキーワードとの組合わせを2次キーワードにすることである。
図３は、本発明による広告システムとインターネットで繋がれた利用者端末機、媒体サーバーシステム及び広告主システムの形状を第1実施形態に具体化した構成図であり、これを参照して説明する。
本発明による広告システム１００は、媒体サーバーシステム２０が駆動するウェブブラウザーの検索窓に入力される1次キーワードと、広告主が任意単語を指定・選択して前記1次キーワードの検索結果として出力される2次キーワードが保存されるキーワードデータベース１５１とURLとを含む前記広告情報が前記1・2次キーワードと連携されて保存される広告主データベース１５２と1次キーワードに対する前記媒体サーバーシステム２０のクエリーによってマッピングされた2次キーワードを前記キーワードデータベース１５１から抽出した後、この2次キーワードを前記広告主データベース１５２に保存された該当広告情報と連携させてリストを生成させるキーワードリスト生成モジュール１１１と、前記リストを前記媒体サーバーシステム２０のウェブブラウザーを介してインターネット利用者に出力させ、前記リストについての選択情報を受信する媒体通信モジュール１１２が備えられたADサーバー１１０と前記リストからインターネット利用者によって選択された2次キーワードと連携された広告情報の執行事項を確認して執行情報データを生成させる広告執行情報モジュール１２１が備えられたLOGサーバー１２０と前記執行情報データが保存される広告執行情報データベース１４１及び、オンラインを通じる広告主の要請によって前記広告執行情報データベース１４１から要請された執行情報データを抽出して出力させる広告執行内訳閲覧モジュール１３１が備えられたFOサーバー１３０とになる。
1次キーワードと2次キーワードとの間の相互関係において、図２を参照して説明すれば、1次キーワードとしての花配達に対する2次キーワードは、2次キーワードリストに登録されたように、ローズ100輪、花輪、開業式祝賀専門花かごなど1次キーワードと連関されながらもより機能的な意味の単語で構成される。したがって、開業式に花を送ろうとするインターネット利用者が漠然に花配達という1次キーワードを検索窓に入力しても、数多の検索結果に対して個別的に確認する必要なしに所望情報をすぐ得られうる。もちろん、該当する2次キーワードには広告情報が連携されているので、インターネット利用者が前記2次キーワードを選択すれば、広告情報に盛られたURLを介して広告主システム３０に連結されうる。
前記広告主データベース１５２は、前記広告情報がデータを保存する。 
前記キーワードリスト生成モジュール１１１は、前記媒体サーバーシステム２０が1次キーワードによる検索結果を出力するために発送したクエリーによって該当2次キーワードを検索して抽出し、この2次キーワードと連携された広告情報も抽出して、そのリストを生成させる。このとき、1次キーワードと2次キーワードは、前述されたような相互間の関連性によってマッピングされているので、前記キーワードリスト生成モジュール１１１は、そのロジックによって2次キーワードを検索する。
前記広告執行情報モジュール１２１は、前記ADサーバー１１０によって媒体サーバーシステム２０に伝送された2次キーワード及びその広告情報がインターネット利用者によって選択された場合、その広告執行についての各種情報を確認することであって、広告執行時間、広告執行回数、広告執行がなされた媒体情報などについての執行情報データを生成させる。
前記広告執行情報内訳閲覧モジュール１３１は、広告主システム３０で広告主が広告主端末機３２を利用して前記広告システムに接続した後、広告執行に対する内訳を確認するものであって、前記広告執行情報データベースと連動されながら広告主の要請によって必要な執行情報データを抽出した後、広告主端末機３２に出力させる。
図４は、本発明による広告システムとインターネットで繋がれた利用者端末機、媒体サーバーシステム及び広告主システムの形状を第2実施形態に具体化した構成図であり、これを参照して説明する。
前記LOGサーバー１２０には、2次キーワードを選択したインターネット利用者のIP、クッキー、セッション、時間のうち一つ以上の事項を確認して利用者情報データを生成させる利用者情報モジュール１２２と、前記利用者情報データを分析して一定間隔に同一の情報が累積されるか否かを確認し、その累積量が基準値を超過する場合、メール及び/またはSMSを通じて該当キーワードの広告主と交通するアラームモジュール１２３がさらに備えられ、前記利用者情報データが保存され、前記FOサーバー１３０と連動されて広告主の利用者情報データの閲覧が可能な利用者情報データベース１４２がさらに含まれる。
前記利用者情報モジュール１２２とアラームモジュール１２３は、有效顧客が広告を視聴したことを確認させることによって、広告主が広告執行に対して信頼することである。
前記利用者情報モジュール１２２は、2次キーワードを選択し、これと連携された広告を視聴する利用者の利用者端末機１０を追跡して、そのIP、クッキー、セッションなどとその執行時間が確認される利用者情報データを生成させた後、この利用者情報データを前記利用者情報データベース１４２に保存させる。
前記アラームモジュール１２３は、前記利用者情報データベース１４２に保存された利用者情報データをリアルタイムで分析しながら一定間隔に同一の情報の累積量を確認する。すなわち、一定時間内に同一のIPで該当2次キーワードに対するクリックまたはマウスオンが継続的に発生すれば、前記利用者情報モジュール１２２は、リアルタイムで同一IPに対する利用者情報データを生成させながら、利用者情報データベース１４２に保存させるので、前記アラームモジュール１２３はこれを確認して基準値を超過する場合、不良広告執行と判断し、その事実を広告主システム３０に発送する。一般的に、前記発送手段としては、メールまたはSMS方式が活用されうる。
一方、前記利用者情報データベース１４２は、前記広告執行内訳閲覧モジュール１３１と連動されながら、広告主をして直接前記利用者情報データベース１４２を検索させうる。
前記FOサーバー１３０には、前記キーワードデータベース１５１及び広告主データベース１５２と連動されて、オンラインを通じる広告主の要請によって広告情報と連携されたキーワードを追加、削除、変更させるキーワード修正モジュール１３２がさらに備えられる。
前記キーワード修正モジュール１３２は、広告主の広告情報が連携されるキーワードを選択するか変更するインターネット様式を広告主システム３０に提供して、広告主が自身の広告主端末機３２を利用してインターネット上でも直ちに修正する一方、必要によっては存在していない2次キーワードを作ってこれを広告執行に適用することもできる。また、広告情報を修正することもでき、このような過程を通じて前記キーワードデータベース１５１と広告主データベース１５２とに保存されたデータを更新する。
図５は、本発明による広告システムとインターネットで繋がれた利用者端末機、媒体サーバーシステム及び広告主システムの形状を第3実施形態に具体化した構成図であり、これを参照して説明する。
広告主が広告費として預置した預置金と広告執行によって消尽された金額及び預置金残額とに対する費用データが保存されるが、この費用データが預置金残額と広告執行によって消尽される金額とを算術して、前記リスト生成に反映される媒介変数として活用されるように前記キーワードリスト生成モジュール１１１と連動され、広告主が前記費用データの閲覧が可能に前記FOサーバー１３０と連動された決済データベース１５３がさらに含まれ、前記FOサーバー１３０には、広告執行による預置金消尽と入金による預置金追加によって費用データを更新する会計モジュール１３３がさらに含まれる。
一般的に、前記広告システム１００は、広告生産者である広告主と広告消費者であるインターネット利用者とを繋ぐが、これを有料化することで営利を追求する。このとき、本発明による広告方法で、一つの実施形態としての課金形態で一名従量制方式を適用する。すなわち、広告主から広告中継費用として一定量の預置金を前金をもらって、一回露出当り費用を前記預置金からリアルタイムで差引くことである。
前記会計モジュール１３３は、前記決済データベース１５３から費用データを抽出して消尽された預置金による費用データをリアルタイムで更新し、広告主が追加に預置金を入金させれば、これを追加した費用データに更新して前記決済データベース１５３に保存させる。
前記決済データベース１５３は、前述されたように、広告中継費用として前金された預置金と消尽されて残りの預置金残額などとに対する費用データが保存され、前記FOサーバー１３０及びキーワードリスト生成モジュール１１１とそれぞれ連動されながら次のような重要な機能を行う。
まず、FOサーバー１３０、特に、前記広告執行内訳閲覧モジュール１３１と連動されながら前記広告システム１００に広告主端末機３２を利用して接続した広告主が預置金消尽内訳、預置金追加または預置金払い戻し要請などの多様な機能を実行できる。
前記キーワードリスト生成モジュール１１１は、媒体サーバーシステム２０から伝送されたクエリーによって2次キーワードのリストを生成させる時、前記預置金情報が2次キーワードリスト生成に反映される。すなわち、前記決済データベース１５３とキーワードリスト生成モジュール１１１とが相互連動されながらクエリーによる2次キーワードリストが生成される時、任意2次キーワードと連携された広告情報を執行するための金額が預置金残額と比べて十分ではない場合、前記2次広告情報はデータベースから除外されうる。
図６は、本発明による広告システムとインターネットで繋がれた利用者端末機、媒体サーバーシステム及び広告主システムの形状を第4実施形態に具体化した構成図であり、これを参照して説明する。
前記媒体サーバーシステム２０のクエリーについての情報データが保存される媒体クエリー情報データベース１４３と前記媒体クエリー情報データベース１４３との情報データを抽出・分析して、前記キーワードデータベース１５１に保存された1、2次キーワードを追加、削除、変更し、1次キーワードと2次キーワードとに対するマッピングを修正するキーワード補完モジュール１６０がさらに含まれる。
前記キーワードデータベース１５１初期には、設計者が1次キーワードと2次キーワードとを選択して相互マッピングした後、これを保存するしかないが、日増しに変わる検索語に歩調をあわせるためにキーワードデータベース１５１のデータ更新が要求される。このために、前記媒体クエリー情報データベース１４３は、前記媒体サーバーシステム２０から伝送されるクエリー、すなわち、インターネット利用者が検索窓に入力する1次キーワードについての情報データを受けてこれを保存する。
前記キーワード補完モジュール１６０は、前記媒体クエリー情報データベース１４３と広告執行情報データベース１４１とキーワードデータベース１５１とに連動されながら前記キーワードデータベース１５１に既保存された1、2次キーワードを補完する。すなわち、前記媒体クエリー情報データベース１４３を分析して、主に入力される検索語(1次キーワード)を確認し、相対的にその入力割合が大きくなれば、1次キーワードと2次キーワードとの間のマッピングを修正することである。また、前記広告執行情報データベース１４１を分析して広告執行が頻繁な1、2次キーワードに対しては、当該1、2次キーワードと類似した新しいキーワードを追加するか、広告執行が相対的に少ない1、2次キーワードに対しては、これを削除するなどの内容などを確認するか検討させる。このとき、必要なキーワードに活用される単語を検索するために類義単語データベース１７０がさらに追加されうる。
一方、前述された内容で、1、2次キーワードのマッピングに対して例示を挙げてより具体的に説明する。
1次キーワードは、インターネット利用者によって媒体サーバーシステム２０に入力される検索語であり、2次キーワードは、1次キーワードによる媒体サーバーシステム２０のクエリーによって広告システム１００のキーワードデータベース１５１から抽出されるものであって、1次キーワードは、2次キーワードに比べて多少上位概念と言える(図２の検索窓と2次キーワードリスト参照)。
したがって、広告主は、"花配達"というキーワード一つから連想または連関される多様な単語または文章を創案するか選択・指定することができ、このとき有利なことは、2次キーワードとして活用される単語は、必ずしも人気検索語である必要はない。また、2次キーワードは、一つの1次キーワードから多数個に分化されるので"花配達"という一つのキーワードを多数の広告主が活用できる長所がある。
一方、2次キーワードの中でも社会様子とインターネット文化の変化などによって人気検索語にランクされるが、前記キーワード補完モジュール１６０は、前記媒体クエリー情報データベース１４３と広告執行情報データベース１４１とのデータを通じてこのような2次キーワードにマッピングされた単語または文章を1次キーワードとして活用されるように修正し、このように修正された1次キーワードに対する2次キーワードを再選定する方式でキーワードデータベース１５１のデータを更新する。
次いで、1次キーワードの検索結果として出力される2次キーワードが二つ以上である場合、その順序を決めるにおいてランダム自動ローリング方式が適用されるか、位置によって広告費用に差別を置いて決める方式などが適用されうる。すなわち、"ローズ100輪"、"花輪"、"開業式祝賀専門花かご"などの2次キーワードの中で、任意広告主が2次キーワードで"ローズ100輪"を指定して他の広告主が"花輪"、"開業式祝賀専門花かご"を指定する場合、"ローズ100輪"を指定した広告主が他のキーワードを指定した広告主より広告費用を高く策定したら、"花配達"という1次キーワードによって検索される2次キーワードリストから"ローズ100輪"を優先順位に位置させることである。
図７は、本発明による広告システムとインターネットで繋がれた利用者端末機、媒体サーバーシステム及び広告主システムの形状を第5実施形態に具体化した構成図であり、これを参照して説明する。
前記媒体サーバーシステム２０に出力される前記リストに添付されてインターネット利用者の選択によってメモ様式を利用者端末機１０に出力し、作成されたメモは広告主にオンライン発送するメモ実行モジュール２１０及び作成されたメモ内容がデータに保存されるメモデータベース２２０を備えるメモシステム２００がさらに含まれる。
前記メモシステム２００は、前記2次キーワードリストでインターネット利用者が2次キーワードのうちから一つを選択して該当広告主システム３０に接近する前、問合わせ事項を当該2次キーワードと連携された広告情報の広告主にメモ形態で発送するもので、前記メモの受信者は2次キーワードと連携された広告情報の広告主全体になることができ、これらのうち一箇所であることもでき、リストに含まれる2次キーワードの個数限定によって2次キーワードを利用できなくなった他の広告主でもあり得る。
このとき、メモ発送によって預置金からメモ発送費用を差引くことができるが、課金方式において、インターネット利用者が広告主にメモを送る場合に課金する方式と、広告主がメモを発送したインターネット利用者に答信を送る場合に課金する方式があるが、これらも政策的な問題で多様に変化されうる。
一方、本発明による広告システム１００は、広告效果を確認するために広告主システム３０にスクリプトをあらかじめ入力して、前記広告システム１００を経て広告主システム３０に繋がれたインターネット利用者の情報とその行動(商品購買如何、会員加入如何など)とを確認することもできる。もちろん、当該情報は、データベースに保存されるが、図面ではこれを省略した。
図８は、本発明による広告方法を図示したフローチャートであり、図９は、図８のキーワードリスト構築段階の詳細フローチャートであり、図１０及び図１１は、それぞれ図８のキーワード検索を通じる広告実行段階の第1実施形態及び第2実施形態が図示された詳細フローチャートであり、これを参照して説明する。
インターネット利用者が媒体サーバーシステム２０を介して必要な情報を検索し、その検索結果が出力され、出力された検索結果によって実行される以後過程についての本発明による広告方法は、次のような大きな過程の一部として進行する。
図８に図示されたように、前述された大きな過程とは、利用者端末機１０と、媒体サーバーシステム２０と、広告主システム３０及び、一つ以上のデータベースとサーバーとで構成された広告システム１００で、前記広告システム１００のデータベースに検索用キーワードが保存されるキーワードリスト構築段階(S1)と前記広告主システム３０の広告情報が前記データベースに保存された一つ以上のキーワードにリンクされるキーワード別の広告情報リンク段階(S2)と前記利用者端末機１０から媒体サーバーシステム２０にキーワードが伝送/入力されれば、前記媒体サーバーシステム２０からキーワードに対するクエリーが前記広告システム１００に伝送され、前記広告システム１００からは前記クエリーによって広告情報がリンクされたキーワードが前記媒体サーバーシステム２０に伝送されれば、前記利用者端末機１０が広告情報がリンクされた前記キーワードでクリックまたはマウスオンして該当広告情報で繋がれるキーワード検索を通じる広告執行段階(S3)である。
このとき、前記キーワードリスト構築段階(S1)を細分化すれば、前記媒体サーバーシステム２０の検索窓に入力される検索語のうち多数個が指定・選択されてデータベースに保存される1次キーワードデータベース構築段階(S11)と広告主が任意単語を指定・選択して前記1次キーワードの検索結果としてマッピングされた内容によって出力される1次キーワード別の2次キーワードデータベース構築段階(S12)とになる。
次いで、前記広告情報リンク段階(S2)を細分化し、広告主がデータベースに保存された1次キーワードと2次キーワードとを閲覧する1、2次キーワード閲覧段階(S21)と、前記1、2次キーワードのうちから広告対象物の種類と性質またはその機能によって適した1次キーワードと2次キーワードとを指定・選択する広告別の1、2次キーワード選定段階(S22)になり、これに追加して前記広告中継が有料サービスで提供される場合、広告主が広告中継による費用支払いを目的に前金する預置金決済段階(S23)と、前金された預置金内容をデータベースに保存する預置金額情報保存段階(S24)がさらに含まれうる。
次いで、前記キーワード検索を通じる広告執行段階(S3)は、本発明による広告方法に関するものであって、以下でより詳しく説明する。
図１２は、図８のキーワード検索を通じる広告実行段階の第1実施形態が図示された詳細フローチャートであり、これを参照して説明する。
本発明による広告方法は、利用者端末機１０と、媒体サーバーシステム２０と、広告主システム３０及び、一つ以上のデータベースとサーバーとで構成された広告システム１００がインターネットを介して成す広告方法において、
(1)前記利用者端末機１０から前記媒体サーバーシステム２０に1次キーワードが伝送/入力される1次キーワード入力段階(S31)。
インターネット利用者が利用者端末機１０を利用して媒体サーバーシステム２０に接続した後、検索サービスを受けるために検索窓に1次キーワードを入力させる。
(2)前記媒体サーバーシステム２０から前記1次キーワードの検索結果に対するクエリーが前記広告システム１００に伝送されるクエリー伝送段階(S32)。
入力された1次キーワードは、媒体サーバーシステム２０のデータベースで出力物を別途検索することはもちろん、広告システム１００に1次キーワードに対するクエリーを伝送する。
(3)前記広告システム１００で、受信された前記クエリーによって前記1次キーワードとの連関性でマッピングされた2次キーワードがデータベース上に存在するかを検索する2次キーワード検索段階(S33)。
広告システム１００は、クエリーによって1次キーワードの出力結果である2次キーワードの存否を検索する。一般的に、1次キーワードは限定されるので、データベース上に存在していない1次キーワードが媒体サーバーシステム２０からクエリーに伝送される場合、当該1次キーワードとマッピングされた2次キーワードとが存在していないことが明らかなので、その結果を出力できなくなって本発明による広告方法はここで終了される。もちろん、一つ以上の2次キーワードが存在する場合には、そのリストを1次的に生成させながら次の段階を実行する。
(4)前記広告システム１００で、検索された一つ以上の前記2次キーワードが広告情報及び/または前記広告主システム３０と連携されているかを確認する広告情報確認段階(S34)。
前記2次キーワード検索段階(S33)を通じて1次キーワードに対する2次キーワードがデータベース上に存在することを確認しても、当該2次キーワードが広告主に選択されることができなくて連携された広告情報がない場合には、2次キーワードリストに添付してもその效用がなく、これを除外することが望ましい。
(5)前記広告システム１００で、前記広告情報確認段階(S34)を通じて該当2次キーワードに広告情報及び/または前記広告主システム３０と連携されていると確認される場合、一つ以上の前記2次キーワードを前記媒体サーバーシステム２０を介して前記利用者端末機１０に伝送する2次キーワード伝送段階(S35)。
前記段階を経ながら2次キーワードリストが作成されれば、当該データを前記媒体サーバーシステム２０に伝送し、これを受信した媒体サーバーシステム２０は、ウェブブラウザーを利用して前記利用者端末機１０に出力させる。このとき、単純に2次キーワードのみを提示することができ、また提示される2次キーワードを含む文章形態で提示されることもできる。
(6)前記利用者端末機１０が前記2次キーワードのうち一つにクリックまたはマウスオンすれば、該当2次キーワードと連携された前記広告情報及び/または前記広告主システム３０と接続される広告情報出力段階(S37)。
利用者端末機１０に出力された2次キーワードリストで任意2次キーワードを選択すれば、前記2次キーワードと連携された広告情報によって広告主システム３０と利用者端末機１０とが繋がれながら、インターネット利用者は広告主システム３０が駆動するサイトで必要な情報を得られうる。
(7)前記利用者端末機１０が前記2次キーワードを通じる広告情報及び/または前記広告主システム３０と接続された広告執行事項についての執行情報データが前記広告システム１００のデータベースに伝送/保存される広告執行情報保存段階(S38)。
インターネット利用者が広告主システム３０に繋がれながら執行された広告に対して必要な情報、すなわち、広告執行時間と広告が執行された媒体などについての執行情報データがデータベースに保存されて、広告主が執行情報データが保存された前記データベースをオンラインを通じて検索できる。
図１３は、それぞれ図８のキーワード検索を通じる広告実行段階の第2実施形態及び第3実施形態が図示された詳細フローチャートであり、これを参照して説明する。
(1)前記広告システム１００で、広告が執行された前記利用者端末機１０の利用者情報が抽出されてデータベースに保存される利用者情報抽出段階(S38-1)。
広告中継で、クリック当りまたは露出当り広告費用が課金されるという理由で広告費用が正当ではない方式で請求することを防止するために広告を消費した利用者情報が抽出される。すなわち、利用者端末機のIP、クッキー、セッション、利用時間などがそれである。
(2)前記広告システム１００で、前記データベースに保存される利用者情報のうち一定間隔に同一の情報が累積値以上超過して累積されるか否かを確認する利用者情報確認段階(S38-2)。
前記利用者情報抽出段階(S38-1)で抽出された利用者情報が一定間隔に累積されながら累積値を超過するか否かを確認する。
(3)前記利用者情報確認段階(S38-2)で累積値以上の同一の利用者情報が確認される場合、前記広告システム１００から前記広告主システム３０にアラーム情報を伝送するアラーム段階。
利用者情報確認結果、同一の利用者情報が一定時間内に累積値を超過した場合には、非正常的な広告執行として処理し、この事実を警告次元で該当2次キーワードと連携された広告情報の広告主システム３０に知らせる。一般的に、その手段としては、メールまたはSMSがある。
図１４は、それぞれ図８のキーワード検索を通じる広告実行段階の第2実施形態及び第3実施形態が図示された詳細フローチャートであり、これを参照して説明する。
(1)前記広告システム１００で、前記広告情報確認段階(S34)を通じて該当2次キーワードに広告情報及び/または前記広告主システム３０と連携されていると確認される場合、データベースに保存された預置金残額と広告執行によって消尽される金額とを算術して広告執行が可能かどうかを確認する預置金確認段階(S34-1)。
広告中継が有料で進行する場合、クリックまたは露出当り広告費用が課金され、本発明による広告方法では従量制方式でその課金を処理するので、広告主から前金として預置金を受ける。このような預置金は、広告執行当りリアルタイムで消尽され、預置金残額が広告執行のために十分ではなければ、広告執行が不可能なので2次キーワードリストから該当広告情報と連携された2次キーワードを除外させる。
(2)前記広告システム１００で、広告執行がなされば、前記データベースに保存された預置金残額を広告執行費用ほど消尽させて更新する預置金情報更新段階(S38-4)。
利用者端末機１０に出力された2次キーワードリストから利用者が任意2次キーワードを選択することで広告主システム３０に連結されれば、広告執行がなされたと見做し、データベースに保存された預置金から該当広告費用を差引いて、差引いた結果を預置金として更新する。
引き続き、添付された図面を参照して、本発明のよる2次キーワード提供方法についての実施形態を詳しく説明する。
まず、図１５は、本発明のよる2次キーワード提供方法を実行するための全体システムの構成図である。図示されたように、ウェブサーバー１１００は、インターネット１１０２を介して検索者(または、ユーザー)端末機１１０４a、１１０４bに連結されている。また、ウェブサーバー１１００は、ネットワークインターフェース１１０６、制御部１１０８、データベース１１１０、１１１２、１１１４、１１１６からなっている。
ネットワークインターフェース１１０６は、例えば、ケーブルモデムなどで構成され、制御部１１０８をしてインターネット１１０２を介して検索者端末機１１０４a、１１０４bと所定フォーマットで通信する。
キーワードデータベースには、図１６に図示されたように、1次キーワードに対する2次キーワードがカテゴリー別に分類されて保存される。キーワードヒストリーデータベース１１１２には、図２２に図示されたように、検索者が検索語(1次キーワード)を入力した後、検索者に露出されたキーワードが露出順序で保存される。ユーザーデータベース１１１４には、ウェブサーバー１１００によって提供されるウェブサイトに正式に登録したユーザーのID、パスワード、関心事項、検索したキーワードなどが保存される。ウェブ文書データベース１１１６には、検索の対象となるウェブ文書が保存される。
制御部１１０８は、1次キーワードに対する検索要請信号が検索者の端末機１１０４a、１１０４bから入力される場合、ウェブ文書データベース１１１６を使って1次キーワードと関連のあるウェブ文書を検索し、キーワードデータベース１１１０を使って1次キーワードについてのカテゴリー情報を判読してネットワークインターフェース１１０６を介してユーザー端末機１１０４a、１１０４bに提供する。制御部１１０８は、1次キーワードについてのカテゴリー情報と共に優先2次キーワード(preferred second keyword)を共に提供できる。優先2次キーワードは、1次キーワードのカテゴリーそれぞれで優先順位が最も早い2次キーワードで構成されることが望ましい。また、制御部は、1次キーワードに対するヒストリーをキーワードヒストリーデータベース１１１２内に保存する。もし、検索者が正式にログインしたユーザーであれば、制御部１１０８は、ユーザーデータベース１１１４に1次キーワードに対する検索要請事実をそのユーザーと関連して記録する。1次キーワードについてのカテゴリー情報によって検索者がカテゴリーを選択すれば、カテゴリー選択信号がインターネット１１０２を経て制御部１１０８に到逹し、これにより制御部１１０８は、キーワードデータベース１１１０から該当カテゴリー内の2次キーワードを判読してユーザー端末機１１０４a、１１０４bに提供する。
図１６は、本発明による2次キーワードの例を説明する図面である。図示されたように、1次キーワードが"コンピュータ"である場合、例えば、カテゴリーは、コンピュータ製品関連カテゴリーとコンピュータ産業関連カテゴリーとに分類されうる。コンピュータ製品関連カテゴリーには、"ブランドPC"、"ノート型パソコン"、"組み立てPC"、"コンピュータ部品"が、コンピュータ産業関連カテゴリーには、"教育"、"メディア"、"ショッピング"がある。例えば、"コンピュータ"の"ブランドPC"というカテゴリーには、"三星コンピュータ"、"三宝コンピュータ"、"ヒョンジュコンピュータ"、"デルコンピュータ"などの2次キーワードが分類される。多様な方法で特定1次キーワードに対する2次キーワードを抽出できるが、統計的に1次キーワードを検索した検索者が連続して検索したキーワードを2次キーワードとして使うことができる。このような方法を本明細書では、"検索パターン"によるキーワード抽出と言う。
特定カテゴリーでの2次キーワードの配列順序は、1次キーワードを検索しているユーザーが連続的に検索する可能性によって決めることが有利である。例えば、1次キーワードとの類似度、検索頻度数、広告掲載数などを個別的にまたは総合的に考慮して配列順序が決定されうる。特定カテゴリーを検索者が選択した時、配列順序が早い2次キーワードが配列順序が遅い2次キーワードに比べてユーザー端末機１１０４a、１１０４bに優先的に提供される。例えば、"コンピュータ"というキーワードを検索しているユーザーが"ブランドPC"に対するカテゴリーを選択した場合、"三星コンピュータ"、"三宝コンピュータ"などの2次キーワードが優先的にユーザーに提供される。
図１７は、本発明の一実施形態による2次キーワードの提供方法を説明するフローチャートである。図１６を参照してすでに説明したように、まず、1次キーワードに対してカテゴリー別に2次キーワードを分類したキーワードデータベースを生成させる(S302)。
カテゴリー別に2次キーワードを分類したキーワードデータベースは、パターンカテゴリー方式によって生成されうるが、パターンカテゴリーは、ユーザーが検索媒体を通じて検索を要請したキーワードのリストを基づいて生成されたパターンキーワードリストを専門的な知識なしにも直観的に理解できるように表現したことを言う。
すなわち、本発明では、ユーザーが特定のキーワードで情報検索を要請する時、検索媒体で収集されたパターンキーワードのリストを一般的に理解が可能な情報検索の範囲で名付けてパターンカテゴリーリストを作って、これをユーザーに提示することである。
例えば、“コンピュータ”を検索したユーザーが以後実行したキーワードのリストは、下記のように多様に表われる。
１．三星コンピュータ-三宝コンピュータ-ヒョンジュコンピュータ-デルコンピュータ-...
２．コンピュータデザイン-CAD-プログラミング-資格証-....
３．価格比較-ソフトウェア-ハードウェア-図書-...
このようなキーワードリストを本発明のパターンカテゴリーに再整理すれば、下記のように提供されうる。
１．ブランド:三星コンピュータ-三宝コンピュータ-ヒョンジュコンピュータ-デルコンピュータ-...
２．教育:コンピュータデザイン-CAD-プログラミング-資格証-....
３．ショッピング:価格比較-ソフトウェア-ハードウェア-図書-...
引き続き、ユーザー端末機１１０４a、１１０４bがインターネット１１０２を経てウェブサーバー１１００に接続して特定キーワード(1次キーワード )に対する検索を要請すれば(S304)、ウェブサーバー１１００は、ウェブ文書データベース１１１６を検索して1次キーワードと関連のあるデータを判読し、キーワードデータベース１１１０を検索して1次キーワードについてのカテゴリー情報を判読した後、一定したフォーマットのウェブページで構成してユーザー端末機１１０４a、１１０４bに提供する(S306)。
ユーザーによるカテゴリー選択がなされる以前に段階S306で優先的に所定個数、例えば、5個の2次キーワードが共に提供されうる。このように提供される2次キーワードを本明細書では"優先2次キーワード"と言う。図２を参照して、例えば、1次キーワードが"コンピュータ"である場合、それぞれのカテゴリーで最初に配列される"三星コンピュータ"、"HP"、"竜山電子商店街"、"メモリ"、"ウェブデザイン"、"ゲーム"、"価格比較"などが優先2次キーワードとして提供されうる。また、従来のようにカテゴリーと関係なく1次キーワード検索以後、同一検索者によって連続的に検索される可能性が高いもので統計的に把握されたキーワード(パターンキーワード)が優先2次キーワードとして提供されうる。
提供されたカテゴリー情報によってユーザーが自身の検索目標に合うカテゴリーを選択すれば(S308)、ウッブサーバー１１００は、キーワードデータベース１１１０から該当カテゴリーの2次キーワードを判読してユーザー端末機１１０４a、１１０４bに提供する(S310)。
図１８は、図１４の2次キーワード提供段階(S310)の詳細フローチャートである。ユーザー端末機１１４０からカテゴリー選択信号が受信されれば、キーワードデータベース１１１０から2次キーワードを判読し(S402)、現在の検索者によって1次キーワードに対する検索が要請された以後からの検索過程で露出されたことがあるか否かを確認する(S404)。露出如何の確認は、キーワードヒストリーデータベース１１１２を参照することで実行されうる。確認結果、すでに露出されたことがあると判明されれば、ユーザー端末機１１０４a、１１０４bに提供せずに(S406)、同一のカテゴリーの他の2次キーワードを判読する(S402)。このような過程を繰り返して以前に露出されたことがないN個の2次キーワードがユーザー端末機１１０４a、１１０４bに表示する(S408)。
次には、ユーザーから2次キーワードに対する追加要請信号が受信されるのを待機し(S410)、受信されれば同一のカテゴリー内で次の配列順序を有する2次キーワードを判読し(S412)、露出如何を確認(S404)した後にユーザー端末機１１０４a、１１０４bに提供する(S408)。本実施形態では、2次キーワードに対する追加要請信号の発生のために図２４に図示されたように、ユーザー端末機１１０４a、１１０４bに左方向三角形と右方向三角形のグラフィックユーザーインターフェース(graphic user interface :GUI)を表示し、ユーザーがマウスでこの三角形をクリックすれば、他の2次キーワードがユーザー端末機１１０４a、１１０４bに表示されるように構成される。図１６を参照して、例えば、ユーザーが1次キーワードとして"コンピュータ"を検索しながら"ブランドPC"というカテゴリーを選択する場合にNが3である場合、"三星コンピュータ"、"三宝コンピュータ"、"ヒョンジュコンピュータ"が2次キーワードとして初めに提供され、追加要請信号がユーザー端末機１１０４a、１１０４bから受信されれば、"三宝コンピュータ"以後の3個のキーワードが2次キーワードとして提供されることもでき、または"デルコンピュータ"以後の3個のキーワードが2次キーワードとして提供されることもある。
図１９は、本発明によって、1次キーワードが"コンピュータ"である場合、カテゴリーと2次キーワードが検索者の端末機１１０４a、１１０４bに表示されることを説明する図面である。図１７で、1次キーワード"コンピュータ"に対してカテゴリー情報として"コンピュータ本体"、"周辺機器"、"付属品"、"ノート型パソコン"が提供される。また、優先2次キーワードとしては、パターンキーワードタイプの"竜山コンピュータ"、"ノート型パソコン"、"竜山"、"コンピュータゲーム"、"孤児院助け合い"などが提供される。そして、検索者が、例えば、"コンピュータ本体"というカテゴリーを選択すれば"組み立てコンピュータ"、"竜山"、"ブランドコンピュータ"などが2次キーワードとして提供される。
このような方式でパターンキーワードと共に、検索者の関心分野と関係があるいわゆる "ターゲティングキーワード"が分離生成されて検索者に同時に露出されうる。これにより検索者は、自身の検索目標に早く接近させうる。
図２０は、本発明によって、選択されたカテゴリー内での再検索ですでに露出された2次キーワードが再び露出されていないことを説明する図面であって、1次キーワードとして"コンピュータ"が入力されてカテゴリー情報として"コンピュータ本体"、"周辺機器"、"付属品"、"ノート型パソコン"が提供される場合である。4個のカテゴリーの中から"コンピュータ本体"を検索者が選択した場合、"組み立てコンピュータ"、"竜山"、"ブランドコンピュータ"、"ペンティアム（登録商標）"、"セレロン"が2次キーワードとして提供される。この中から"組み立てコンピュータ"を選択(▽)する場合、"メモリ"、"RAM"、"クーラー"、"CPU"、"アスロン"、"256メガ"、"ペンティアム（登録商標）"がキーワードデータベース１１０に2次キーワードに分類されているが、この中から"ペンティアム（登録商標）"は、カテゴリー"コンピュータ本体"を選択した結果ですでに露出されたキーワードであるので再び露出されない。同様に"クーラー"を選択(▽)する場合、"ADDAクーラー"、"クーラーマスター"、"低騷音クーラー"、"メモリ"、"クーラー"が2次キーワードに分類されているが、"メモリ"と"クーラー"はすでに露出されたキーワードであるので再び露出されない。
本発明のように、すでに露出されたキーワードの再露出を防止することによって、検索者によって無視されたキーワードが不要に反復的に露出されて検索を妨害することを防止できる。これにより、検索者の検索目標に有用しうるキーワードのみが検索者に早期に露出される。 
図２１は、本発明によってキーワードヒストリーマップを提供する方法を説明するフローチャートである。まず、キーワードヒストリー要請信号をユーザー端末機１１０４a、１１０４bから受信されれば(S702)、制御部１１０８はキーワードヒストリーデータベース１１１２を判読し(S704)、ウェブページで構成した後、ユーザー端末機１１０４a、１１０４bにキーワードヒストリーマップを提供する(S706)。キーワードヒストリーマップの一例が図２０に図示されている。図２２で下方向三角形は検索者が選択したキーワードを、右方向三角形は同一カテゴリー内の他の2次キーワードの露出を示す。キーワードヒストリーマップには、検索者による1次キーワード入力以後に検索されたキーワードが検索された順序で表示される。また、キーワードヒストリーマップには、検索者によって検索されていなかったが共に露出されたキーワードが共に表示される。
キーワードヒストリーマップを通じて検索者は、自身が如何なる過程を経て検索を進行しているかを容易に把握できるので、検索目標により容易に接近させうる。
このようなキーワードヒストリーマップは、1次キーワードがユーザー端末機１１０４a、１１０４bから受信された以後、制御部１１０８によってユーザー端末機１１０４a、１１０４bに提供された2次キーワードをレベルと順序とによってキーワードヒストリーデータベース１１１２に記録することで生成されうる。ここで、同一カテゴリーで分類されて共に表示される2次キーワードは同一"レベル"であると定義する。例えば、図８で、"組み立てコンピュータ"、"竜山"、"ブランドコンピュータ"、"ペンティアム（登録商標）"、"セレロン"は、同一レベルのキーワードである。"組み立てコンピュータ"に対する検索要請によって共に提供される"メモリ"、"RAM"、"クーラー"、"CPU"、"アスロン"、"256メガ"、"ケース"も同一レベルのキーワードである。
図２３は、本発明の他の実施形態による2次キーワードの提供方法を説明するフローチャートであって、検索語の入力なしにもカテゴリーを提供するウェブサイトで関連キーワードを提供する方法を説明している。まず、キーワードが所定カテゴリー別に分類されたキーワードデータベースを生成させる(S902)。ユーザー端末機１１０４a、１１０４bから接続要請を受信すれば(S904)、ウェブサーバー１１００は検索カテゴリー情報をユーザー端末機１１０４a、１１０４bに直ちに提供する(S906)。次に、カテゴリー情報によるカテゴリー選択信号がユーザー端末機１１０４a、１１０４bから入力されれば、ウェブサーバー１１００は、入力されたカテゴリー選択信号によって該当カテゴリーのキーワードをユーザー端末機１１０４a、１１０４bに提供する(S908)。
図１７に図示された実施形態では、検索者が検索語(1次キーワード)を入力すれば、1次キーワードに該当するカテゴリー情報をユーザー端末機１１０４a、１１０４bに提供するが、図２３に図示された実施形態では、検索者の検索語入力なしに単純にウェブサーバー１１００に接続するだけでもカテゴリー情報がユーザー端末機１１０４a、１１０４bに提供される。図２３でのカテゴリーは全体検索分野での大分類に該当し、図１５でのカテゴリーは検索者によって入力された検索語に対する小分類に該当する。したがって、両者は、検索レベルによって併合されて使われうる。
図２４は、本発明によってユーザー端末機１１０４a、１１０４bに表示されるサーチジョグ形態のインターフェースを図示している。図２２で左方向三角形と右方向三角形は、同一レベル内の他の2次キーワードの表示を、上方向三角形は以前レベルの2次キーワードの表示を、下方向三角形は検索語に対するカテゴリーの表示をそれぞれ示す。また、中央の円は、キーワードヒストリーマップの表示を示す。例えば、検索者が右方向三角形をマウスでクリックすれば、ウェブサーバー１１００は、同一レベル内の他の2次キーワードがユーザー端末機１１０４a、１１０４bに表示させる。
前述した実施形態は、当業者が本発明を容易に理解して実施させるための例示であるだけであり、本発明の権利範囲を限定しようとするものではない。したがって、当業者は、前記実施形態に対して多様な変形や変更が可能であるということを注目しなければならない。本発明の権利範囲は、原則的に後述する特許請求の範囲によって決まる。
【産業上の利用可能性】
【０００６】
本発明によれば、利用者は、比較的に包括的な意味を有した1次キーワード検索に引き続き、さらに具体的な2次キーワード検索を通じて自身が追求する情報及び/または物品を容易に捜して確認できる一方、広告主は、該当2次キーワードを通じて連結された有效顧客に自己の情報及び/または物品を公開できて広告效率が大きく向上する。
また、キーワードとして周知されていない単語に対しても検索用語としての效用性を高めることができて、インターネットでのキーワード検索方式を広告手段として活用する広告主が、自身が提供する情報及び/または商品と直接的に係わったキーワードを利用するにおいて、その選択の幅を広けられうる。
そして、前述したような本発明の2次キーワードリスト提供方法によれば、追加キーワードが検索カテゴリーと係わって検索者に提供される。従来には、単純に検索者の検索パターンによって2次キーワードが抽出されて提供されたが、本発明では検索者の検索目標と検索パターンとを結合して2次キーワードが抽出されるので、検索目標に最も近接した2次キーワードが検索者に提供されうる。また、検索者が入力したキーワードとその2次キーワードで検索者に提供されたキーワードとがヒストリーマップ形態で表示されるので、検索者をして検索過程を容易に把握して検索目標に早く接近させうる。
また、検索語入力と2次キーワード露出過程ですでに検索したか無視されたキーワードは、2次キーワードに再び提供しないので、検索目標に必要なキーワードのみに対する検索を実行できる。また、サーチジョグ形態のユーザーインターフェースが検索者の端末機に表示されることによって、検索者によるカテゴリー選択と2次キーワードとに対する追加要請がより容易になる。
また、検索者の関心分野に合うターゲティングキーワード提示を通じてターゲティングキーワード検索率を向上させる。これにより、ターゲティングキーワードの広告価値が増加するので、ターゲティングキーワードを利用した広告登録が増加してターゲティングキーワードを通じるキーワード広告売上げが増加する效果をもたらす。
【図面の簡単な説明】
【０００７】
【図１】本発明による広告システムとインターネットで繋がれた利用者端末機、媒体サーバーシステム及び広告主システムの形状を概略的に図示した構成図である。
【図２】本発明による広告システムを通じてなされる広告第1案が媒体サーバーシステムのウェブブラウザーを介して実行される形状を図示した図面である。
【図３】本発明による広告システムとインターネットで繋がれた利用者端末機、媒体サーバーシステム及び広告主システムの形状を第1実施形態に具体化した構成図である。
【図４】本発明による広告システムとインターネットで繋がれた利用者端末機、媒体サーバーシステム及び広告主システムの形状を第2実施形態に具体化した構成図である。
【図５】本発明による広告システムとインターネットで繋がれた利用者端末機、媒体サーバーシステム及び広告主システムの形状を第3実施形態に具体化した構成図である。
【図６】本発明による広告システムとインターネットで繋がれた利用者端末機、媒体サーバーシステム及び広告主システムの形状を第4実施形態に具体化した構成図である。
【図７】本発明による広告システムとインターネットで繋がれた利用者端末機、媒体サーバーシステム及び広告主システムの形状を第5実施形態に具体化した構成図である。
【図８】本発明による広告方法を図示したフローチャートである。
【図９】図８のキーワードリスト構築段階の詳細フローチャートである。
【図１０】及び
【図１１】それぞれ図８のキーワード検索を通じる広告実行段階の第1実施形態及び第2実施形態が図示された詳細フローチャートである。
【図１２】図８のキーワード検索を通じる広告実行段階の第1実施形態が図示された詳細フローチャートである。
【図１３】及び
【図１４】それぞれ図８のキーワード検索を通じる広告実行段階の第2実施形態及び第3実施形態が図示された詳細フローチャートである。
【図１５】ウェブサイトでの1次キーワード検索に対して関連性のある2次キーワードのリストを提供するための本発明の全体システムの構成図である。
【図１６】本発明によって、1次キーワードが"コンピュータ"である場合の2次キーワードの一例を説明する図面である。
【図１７】本発明の一実施形態による2次キーワードの提供方法を説明するフローチャートである。
【図１８】図１７の2次キーワード提供段階の詳細フローチャートである。
【図１９】本発明によって、1次キーワードが"コンピュータ"である場合、カテゴリーと2次キーワードが検索者の端末機に表示されることを説明する図面である。
【図２０】本発明によって、選択されたカテゴリー内での再検索ですでに露出された2次キーワードが再び露出されていないことを説明する図面である。
【図２１】本発明によってキーワードヒストリーマップを提供する方法を説明するフローチャートである。
【図２２】本発明によって提供されたキーワードヒストリーマップの一例を説明する図面である。
【図２３】本発明の他の実施形態による2次キーワードの提供方法を説明するフローチャートである。
【図２４】本発明によるサーチジョグインターフェースを説明する図面である。
【符号の説明】
【０００８】
10：利用者端末機                       20：媒体サービスシステム
30：広告主システム                     32：広告主端末機
100：広告システム                      110：ADサーバー
111：キーワードリスト生成モジュール    112：媒体通信モジュール
120：LOGサーバー                       121：広告執行情報モジュール
122：利用者情報モジュール              123：アラームモジュール
130：FOサーバー                        131：広告執行内訳閲覧モジュール
132：キーワード修正モジュール          133：会計モジュール
141：広告執行情報データベース          142：利用者情報データベース
143：媒体クエリー情報データベース      151：キーワードデータベース
152：広告主データベース                153：決済データベース
160：キーワード補完モジュール          170：類義単語データベース
200：メモシステム                      210：メモ実行モジュール
220：メモデータベース
【図１】
2008507027.tif 000003
【図２】
2008507027.tif 000004
【図３】
2008507027.tif 000005
【図４】
2008507027.tif 000006
【図５】
2008507027.tif 000007
【図６】
2008507027.tif 000008
【図７】
2008507027.tif 000009
【図８】
2008507027.tif 000010
【図９】
2008507027.tif 000011
【図１０】
2008507027.tif 000012
【図１１】
2008507027.tif 000013
【図１２】
2008507027.tif 000014
【図１３】
2008507027.tif 000015
【図１４】
2008507027.tif 000016
【図１５】
2008507027.tif 000017
【図１６】
2008507027.tif 000018
【図１７】
2008507027.tif 000019
【図１８】
2008507027.tif 000020
【図１９】
2008507027.tif 000021
【図２０】
2008507027.tif 000022
【図２１】
2008507027.tif 000023
【図２２】
2008507027.tif 000024
【図２３】
2008507027.tif 000025
【図２４】
2008507027.tif 000026
【国際調査報告】
2008507027.tif 000027